(57)【要約】【課題】必要な場合に表示画像の設定を行うことができる携帯端末装置及び制御方法を提供する。【解決手段】受信メール内容に従って表示画像設定を行うことにより、携帯端末装置の使用者の都合に合わせて必要な場合に表示画像の設定を行うことができる。【選択図】図１
2008191756.tif 000002
【特許請求の範囲】
【請求項１】
受信メール内容に従って表示画像設定を行う制御手段を備えたことを特徴とする携帯端末装置。
【請求項２】
メールの受信時に該メールの文字情報及び該メールに添付されている画像情報に従って表示画像の設定を行う制御手段を備えたことを特徴とする携帯端末装置。
【請求項３】
メールの受信時に該メールの文字情報及び該メールに添付されている画像情報に従って表示画像のサイズ、配色数、文字サイズ、文字修飾、表示時間、表示期間、表示条件等の画像情報の表示に必要な設定を行う制御手段を備えたことを特徴とする携帯端末装置。
【請求項４】
前記制御手段は、ユーザが登録した動作に対応した表示規則に基づいて表示画像を設定することを特徴とする請求項１から３のいずれか１項に記載の携帯端末装置。
【請求項５】
前記制御手段は、前記表示画像の設定を行う旨のモードを有し、該モードがＯＮの場合には前記表示画像の設定を行い、前記モードがＯＦＦの場合には前記表示画像の設定を行わないことを特徴とする請求項１から４のいずれか１項に記載の携帯端末装置。
【請求項６】
前記制御手段は、前記メールに含まれる文字列が前記モードを設定するときに記憶した文字列と一致した場合には前記表示画像の設定を行い、前記メールに含まれる文字列が前記モードを設定するときに記憶した文字列と一致しない場合には前記表示画像の設定を行わないことを特徴とする請求項５に記載の携帯端末装置。
【請求項７】
前記制御手段は、前記表示画像の設定を使用者の所望する期間内について行うことを特徴とする請求項１から６のいずれか１項に記載の携帯端末装置。
【請求項８】
前記制御手段は、前記メール受信後に画像設定が成功したか否かを返信するように制御することを特徴とする請求項１から７のいずれか１項に記載の携帯端末装置。
【請求項９】
前記成功したか否かの返信の有無について記憶する記憶手段を備えたことを特徴とする請求項８に記載の携帯端末装置。
【請求項１０】
受信メール内容に従って表示画像の設定を行うことを特徴とする携帯端末装置の制御方法。
【発明の詳細な説明】
【技術分野】
【０００１】
本発明は、携帯電話やＰＤＡ（Personal Digital Assistants：携帯情報端末）等の携帯端末装置及び制御方法に関する。
【背景技術】
【０００２】
最近の携帯端末は著しく発展・進化を遂げている。携帯電話での電子メールの一般的な普及およびＬＣＤ（Liquid Crystal Display：液晶表示素子）部が三百万画素もの高精細となることから、より美しい画像の設定を簡易に実施することが求められている。
【０００３】
例えば、別の端末機から送られてきたメッセージを移動通信端末機の待機画面（待ち受け画面）に表示するもの（例えば、特許文献１参照。）や、重要な文書画面の登録に失敗した場合に、その通知を受け取る相手が重要な文書画像の登録失敗に素早く気づくことが可能な電子メールを送信するもの（例えば、特許文献２参照。）が挙げられる。
【特許文献１】特開２００６−２７０９６２号公報
【特許文献２】特開２００６−３１３４８９号公報
【発明の開示】
【発明が解決しようとする課題】
【０００４】
しかしながら、上述した従来技術は待機画面の表示を行うことができるものの、表示画面の設定を行った後、元の設定条件に戻す場合設定し直す必要があり、画像によっては必ずしも設定を変えなくても良い場合もある。
そこで、本発明の目的は、必要な場合に表示画像の設定を行うことができる携帯端末装置及び制御方法を提供することを目的とする。
【課題を解決するための手段】
【０００５】
上記課題を解決するため、請求項１に記載の発明は、受信メール内容に従って表示画像設定を行う制御手段を備えたことを特徴とする。
【０００６】
請求項１に記載の発明によれば、受信メール内容に従って表示画像設定を行う制御手段を備えたことにより、携帯端末装置の使用者の都合に合わせて必要な場合に表示画像の設定を行うことができる。
【０００７】
請求項２に記載の発明は、メールの受信時に該メールの文字情報及び該メールに添付されている画像情報に従って表示画像の設定を行う制御手段を備えたことを特徴とする。
【０００８】
請求項２に記載の発明によれば、メールの受信時にメールの文字情報及びメールに添付されている画像情報に従って表示画像の設定を行う制御手段を備えたことにより、携帯端末装置の使用者の都合に合わせて必要な場合に表示画像の設定を行うことができる。
【０００９】
請求項３に記載の発明は、メールの受信時に該メールの文字情報及び該メールに添付されている画像情報に従って表示画像のサイズ、配色数、文字サイズ、文字修飾、表示時間、表示期間、表示条件等の画像情報の表示に必要な設定を行う制御手段を備えたことを特徴とする。
【００１０】
請求項３に記載の発明によれば、メールの受信時にメールの文字情報及びメールに添付されている画像情報に従って表示画像のサイズ、配色数、文字サイズ、文字修飾、表示時間、表示期間、表示条件等の画像情報の表示に必要な設定を行う制御手段を備えたことにより、携帯端末装置の使用者の都合に合わせて必要な場合に表示画像の設定を行うことができる。
【００１１】
請求項４に記載の発明は、請求項１から３のいずれか１項に記載の発明において、前記制御手段は、ユーザが登録した動作に対応した表示規則に基づいて表示画像を設定することを特徴とする。
【００１２】
請求項４に記載の発明によれば、制御手段は、ユーザが登録した動作に対応した表示規則に基づいて表示画像を設定することにより、携帯端末装置の使用者の都合に合わせて必要な場合に表示画像の設定を行うことができる。
【００１３】
請求項５に記載の発明は、請求項１から４のいずれか１項に記載の発明において、前記制御手段は、前記表示画像の設定を行う旨のモードを有し、該モードがＯＮの場合には前記表示画像の設定を行い、前記モードがＯＦＦの場合には前記表示画像の設定を行わないことを特徴とする。
【００１４】
請求項５に記載の発明によれば、制御手段は、表示画像の設定を行う旨のモードを有し、モードがＯＮの場合には表示画像の設定を行い、モードがＯＦＦの場合には表示画像の設定を行わないことにより、携帯端末装置の使用者の都合に合わせて必要な場合に表示画像の設定を行うことができる。
【００１５】
請求項６に記載の発明は、請求項５に記載の発明において、前記制御手段は、前記メールに含まれる文字列が前記モードを設定するときに記憶した文字列と一致した場合には前記表示画像の設定を行い、前記メールに含まれる文字列が前記モードを設定するときに記憶した文字列と一致しない場合には前記表示画像の設定を行わないことを特徴とする。
【００１６】
請求項６に記載の発明によれば、制御手段は、メールに含まれる文字列がモードを設定するときに記憶した文字列と一致した場合には表示画像の設定を行い、メールに含まれる文字列がモードを設定するときに記憶した文字列と一致しない場合には表示画像の設定を行わないことにより、携帯端末装置の使用者の都合に合わせて必要な場合に表示画像の設定を行うことができる。
【００１７】
請求項７に記載の発明は、請求項１から６のいずれか１項に記載の発明において、前記制御手段は、前記表示画像の設定を使用者の所望する期間内について行うことを特徴とする。
【００１８】
請求項７に記載の発明によれば、制御手段は、表示画像の設定を使用者の所望する期間内について行うことにより、携帯端末装置の使用者の都合に合わせて必要な場合に表示画像の設定を行うことができる。
【００１９】
請求項８に記載の発明は、請求項１から７のいずれか１項に記載の発明において、前記制御手段は、前記メール受信後に画像設定が成功したか否かを返信するように制御することを特徴とする。
【００２０】
請求項８に記載の発明によれば、制御手段は、メール受信後に画像設定が成功したか否かを返信するように制御することにより、画像設定が成功しなかった場合に再度画像設定を行うことで信頼性を向上させることができる。
【００２１】
請求項９に記載の発明は、請求項８に記載の発明において、前記成功したか否かの返信の有無について記憶する記憶手段を備えたことを特徴とする。
【００２２】
請求項９に記載の発明によれば、成功したか否かの返信の有無について記憶する記憶手段を備えたことにより、使用者が返信履歴を把握することができる。
【００２３】
請求項１０に記載の発明は、受信メール内容に従って表示画像の設定を行うことを特徴とする。
【００２４】
請求項１０に記載の発明によれば、受信メール内容に従って表示画像設定を行う制御手段を備えたことにより、携帯端末装置の使用者の都合に合わせて必要な場合に表示画像の設定を行うことができる。
【発明の効果】
【００２５】
本発明によれば、受信メール内容に従って表示画像設定を行うことにより、携帯端末装置の使用者の都合に合わせて必要な場合に表示画像の設定を行うことができる。
【発明を実施するための最良の形態】
【００２６】
本発明に係る携帯端末装置としての携帯電話は、電子メールを受信する際、電子メールに記述されている内容および添付されている画像に従って、携帯電話内の各種画像設定を自動で実施することを特徴とする。また、その各種画像設定の際の表示規則をユーザが登録した動作に対応できることを特徴とする。
【００２７】
また、本発明に係る携帯端末装置としての携帯電話は、電子メールを受信してその内容を表示する際、携帯電話にて電子メールの題名及び本文を特定の文字列について検索し、その文字について設定されている動作に従い添付されている画像を、携帯電話内の各種画像設定条件に従って自動で設定することを特徴とする。
【００２８】
また、本発明に係る携帯端末装置としての携帯電話は、設定の成功／失敗についてはメールにて自動返信することを特徴とする。
また、本発明に係る携帯端末装置としての携帯電話は、検索する文字列とその文字列に対する画像設定内容および設定成功／失敗の自動返信の実施有無についてはユーザが携帯電話内に設定登録し、携帯電話内に記憶することを特徴とする。
【００２９】
また、本発明に係る携帯端末装置としての携帯電話は、電子メールを受信した際、電子メールの題名及び本文について記憶部に記憶された文字列を検索し、その文字列に対して設定されている動作に従い、添付されている画像を携帯電話内の各種画像設定に自動で設定することを特徴とする。
【実施例】
【００３０】
次に本発明に係る携帯端末装置の制御方法を適用した携帯端末装置の実施例について説明する。
〔構成〕
図２は、本発明に係る携帯端末装置を用いたシステムの概念図である。
同図において、携帯端末装置２、３やパーソナルコンピュータ４がメールの送受信をできる事業者ネットワーク１が示されている。このシステムでは例えば、携帯端末装置２やパーソナルコンピュータ４から取り決められた内容を含むメールが携帯端末装置３に送信されると、携帯端末装置３では取り決められた内容によって画像設定動作が実施されるようになっている。
【００３１】
図３は、図２に示した携帯端末装置としての携帯電話のブロック図である。
図３において、１０は無線高周波部であり、外部からの無線高周波を受信して復調する受信部１２と、音声信号や画像信号を変調して外部に送信する送信部１３と、受信部１２または送信部１３とアンテナとを切り替える送受信切り替えスイッチ１１とで構成されている。
【００３２】
無線高周波部１０の受信部１２及び送信部１３は、ベースバンド部１７に接続されている。ベースバンド部１７は、ＣＰＵ（Central Processing Unit：中央演算処理部）１８、ＤＳＰ（Digital Signal Processor：デジタル信号処理部）１９、モデム２０、及びＡＤＣ（Analog Digital Converter：アナログデジタル変換器）／ＤＡＣ（Digital Analog Converter：デジタルアナログ変換器）２１を有する。
【００３３】
ベースバンド部１７には画像処理部１６、スピーカー２２、マイクロフォン２３、テンキー２４、メモリ２５が接続されている。画像処理部１６はカメラ１４及びＬＣＤ（液晶表示素子）１５が接続されている。
メモリ２５はフラッシュメモリ２６及びＳＲＡＭ（Static Random Access Memory：電源が印加されている限り記憶内容が保持される読み出し書き込みメモリ）２７で構成されている。
【００３４】
図４は、図３に示した携帯電話の機能を示すブロック図である。
図４において、所定処理実行部１４に所定処理設定部３１、文字列検索部３３、所定処理記憶部３２、画像保存部３５、及び画像設定部３６が接続されている。
所定処理実行部３４は、図３に示したＣＰＵ１８である。所定処理設定部３１は、テンキー２４（図３参照）であり所定の処理を設定する。文字列検索部３３は受信したメール内に設定された文字列が存在するか否かを検索する。所定処理記憶部３２は、所定処理実行部３４の処理プログラムを格納する。画像保存部３５は、受信した画像データを保存する。画像設定部３６は、各種画像設定条件を設定する。
【００３５】
〔動作〕
次に、本発明の実施例の動作について、図１、図５、及び図６を参照して詳細に説明する。
図５は、図３に示した携帯電話の電子メールを受信した際の画像設定および自動返信有無を登録するフローである。
すなわち、メール動作設定を行い（ステップＳ１）、検索文字列入力を行い（ステップＳ２）、画像設定箇所を選択し（ステップＳ３）、自動返信有無を選択することで終了する（ステップＳ４）。
【００３６】
図６は、図３に示した携帯端末装置に表示される画面についての説明図である。
メール自動画像設定は、１．メール自動動作設定、２．検索文字列入力、３．画像設定箇所選択、４．自動返信有無選択の４つのメニューからなっている。
これらのうち「１．メール自動動作設定」の選択は、機能を有効にするか「ＯＮ／ＯＦＦ」を設定することである。２．検索文字列入力は、検索する文字列を入力することである。３．画像設定箇所選択は、どの機能へ画像設定するか選択（待受画像、発着信画面等）することである。４．自動返信有無選択は、自動返信有無を選択することである。
【００３７】
電子メールに記述されている内容に対して、検索する文字列及びその文字列に対して添付されている画像を携帯電話内の各種画像設定のどこに設定及び自動返信有無を記憶手段（例：ＳＲＡＭ）に登録する。
電子メールを受信した際に添付されている画像は、携帯端末装置内の各種画像設定およびメールの自動返信有無の動作の実行について図１のフローに従って実行する。
【００３８】
図１は、本発明に係る携帯端末装置の制御方法の一実施の形態を示すフローである。
すなわち、ＣＰＵ１８（図３参照）は、受信したメールに文字列が有るか否かを判断し（ステップＳ１１）、登録文字列が有ると判断した場合（ステップＳ１１／ＹＥＳ）は画像添付有るか否かを判断する（ステップＳ１２）。ＣＰＵ１８は、受信したメールに画像添付が有ると判断した場合（ステップＳ１２／ＹＥＳ）は画像設定に成功したか否かを判断する（ステップＳ１３）。
ＣＰＵ１８は画像設定に成功した場合（ステップＳ１３／ＹＥＳ）は、自動返信設定が有るか否かを判断し（ステップＳ１４）、自動返信設定が有る場合（ステップＳ１４／ＹＥＳ）は設定成功メールを送信して終了する（ステップＳ１５）。
【００３９】
ＣＰＵ１８は、画像設定に失敗した場合（ステップＳ１３／ＮＯ）は、自動返信設定が有るか否かを判断し（ステップＳ１６）、自動返信設定が有る場合（ステップＳ１６／ＹＥＳ）は設定失敗メールを送信して終了する（ステップＳ１７）。
ＣＰＵ１８は、登録文字列が無いと判断した場合（ステップＳ１１／ＮＯ）、画像添付が無い場合（ステップＳ１２／ＮＯ）、及び自動返信設定が無い場合（ステップＳ１４／ＮＯ、ステップＳ１６／ＮＯ）には処理を終了する。
【００４０】
〔効果〕
パーソナルコンピュータＰＣなどで画像を電子メールで送信することで設定動作を省力して、携帯電話へ画像を設定できる。また、コンテンツ作成元が契約者に対して自動配信することでコンテンツ作成元が意図した設定をすることが可能となる。
【００４１】
なお、上述した実施の形態は、本発明の好適な実施の形態の一例を示すものであり、本発明はそれに限定されることなく、その要旨を逸脱しない範囲内において、種々変形実施が可能である。
一例として、電子メールに記述されている内容によって、添付画像による各種画像設定の期間を設定する場合が挙げられる。例えば、メール本文に「期間：一週間」等と記載することにより、期間限定で当該添付画像を各種画像設定に利用することができる。期間が切れると、変更前の画像設定に戻る。
【００４２】
図７は、本発明に係る携帯端末装置の制御方法の他の実施の形態を示すフローである。
携帯端末装置はメールを受信すると、ＣＰＵ１８（図３参照）は、登録文字列（この場合、「期間：一週間」）が有るか否かを判断し（ステップＳ２１）、登録文字列（期間：一週間）が有ると判断した場合（ステップＳ２１／ＹＥＳ）はステップＳ２２に進み、登録文字列（期間：一週間）が無いと判断した場合（ステップＳ２１／ＮＯ）にはステップＳ２８に進む。
【００４３】
ＣＰＵ１８は、ステップＳ２２にて画像の添付が有るか否かを判断し、画像の添付が有ると判断した場合（ステップＳ２２／ＹＥＳ）、ステップＳ２３に進み、画像の添付が無いと判断した場合（ステップＳ２２／ＮＯ）はステップＳ２８に進む。
ＣＰＵ１８は、ステップＳ２３にて画像の設定に成功したか否かを判断し、画像の設定に成功したと判断した場合（ステップＳ２３／ＹＥＳ）、ステップＳ２４に進み、画像の設定に成功しなかったと判断した場合（ステップＳ２３／ＮＯ）、ステップＳ２６に進む。
【００４４】
ＣＰＵ１８は、ステップ２４にて自動返信設定が有るか否かを判断し、自動返信設定が有ると判断した場合（ステップＳ２４／ＹＥＳ）、設定成功メールを送信し（ステップＳ２５）てステップＳ２８に進み、自動返信設定が無いと判断した場合（ステップＳ２４／ＮＯ）、ステップＳ２８に進む。
ＣＰＵ１８は、ステップＳ２６で自動返信設定が有ると判断した場合（ステップＳ２６／ＹＥＳ）、設定失敗メール送信を送信し（ステップＳ２７）、ステップＳ２８に進み、自動返信設定が無いと判断した場合（ステップＳ２６／ＮＯ）、ステップＳ２８に進む。
【００４５】
ＣＰＵ１８は、ステップＳ２８にて画像設定期間が有るか否かを判断し、画像設定期間が有ると判断した場合（ステップＳ２８／ＹＥＳ）、画像設定期間（この場合１週間）が経過したか否かを判断し（ステップＳ２９）、画像設定期間が経過したと判断した場合（ステップＳ２９／ＹＥＳ）、画像設定を元に戻して終了する（ステップＳ３０）。
ＣＰＵ１８は、画像設定期間が無いと判断した場合（ステップＳ２８／ＮＯ）、終了し、画像設定期間が経過していないと判断した場合（ステップＳ２９／ＮＯ）、ステップＳ２１に戻る。
以上において、本制御方法により必要な場合に表示画像の設定を行うことができる。
【００４６】
また、予め、受信者が携帯端末装置に「自動的に、各種画像設定を受け付ける」モード、すなわち、表示画像の設定を行う旨のモードを有し、モードがＯＮの場合には表示画像の設定を行い、モードがＯＦＦの場合には表示画像の設定を行わない場合が挙げられる。
例えば、「待ち受け画面」に世界遺産の画像が配信されている場合、添付画像を例えば「世界遺産：屋久島」とし、メール本文に記載しておき、当該モードをＯＮにすると、携帯端末装置は全て待ち受け画面が世界遺産の画像になるものである。
【００４７】
図８は、本発明に係る携帯端末装置の制御方法の他の実施の形態を示すフローである。
携帯端末装置はメールを受信すると、ＣＰＵ１８（図３参照）は、自動画像設定受け付けモードがＯＮになっているか否かを判断する（ステップＳ４１）。ＣＰＵ１８は、自動画像設定受け付けモードがＯＮになっていると判断した場合（ステップＳ４１／ＹＥＳ）、ステップＳ４２に進み、自動受け付けモードがＯＮになっていないと判断した場合（ステップＳ４１／ＮＯ）は終了する。
【００４８】
ＣＰＵ１８は、ステップＳ４２でメール中に登録文字列が有るか否かを判断する。ＣＰＵ１８は、メール中に登録文字列が有ると判断した場合（ステップＳ４２／ＹＥＳ）はステップＳ４３に進み、メール中に登録文字列が無いと判断した場合（ステップＳ４２／ＮＯ）は終了する。
ＣＰＵ１８は、ステップＳ４３で画像の添付が有るか否かを判断し、画像の添付が有ると判断した場合（ステップＳ４３／ＹＥＳ）、ステップＳ４４に進み、画像の添付が無いと判断した場合（ステップＳ４３／ＮＯ）は終了する。
【００４９】
ＣＰＵ１８は、ステップＳ４４にて画像の設定に成功したか否かを判断し、画像の設定に成功したと判断した場合（ステップＳ４４／ＹＥＳ）、ステップＳ４５に進み、画像の設定に失敗したと判断した場合（ステップＳ４４／ＮＯ）、ステップＳ４７に進む。
ＣＰＵ１８は、ステップＳ４５にて自動返信設定が有るか否かを判断し、自動返信設定が有ると判断した場合（ステップＳ４５／ＹＥＳ）、設定成功メールを送信して終了し（ステップＳ４６）、自動返信設定が無いと判断した場合（ステップＳ４５／ＮＯ）は終了する。
【００５０】
ＣＰＵ１８は、ステップＳ４７にて自動返信設定が有るか否かを判断し、自動返信設定が有ると判断した場合（ステップＳ４８／ＹＥＳ）、設定失敗メールを送信して終了し（ステップＳ４８）、自動返信設定が無いと判断した場合（ステップＳ４７／ＮＯ）は終了する。
以上において、本制御方法により必要な場合に表示画像の設定を行うことができる。
【００５１】
また、図８に示したフローの発展系として、表示画像の設定を行う旨のモードをＯＮにするときに、文字列を記憶する構成としておき、当該画像添付メールを受信したときに、そのメールに含まれる文字列と当該モードを設定するときに記憶した文字列とが一致したとき（待ち受け画面特定モードＯＮ）に、自動各種画像設定を行うものである。当該モードがＯＮであっても、文字列が一致しない場合は自動各種画像設定は行わない場合が挙げられる。
【００５２】
図９は、本発明に係る携帯端末装置の制御方法の他の実施の形態を示すフローである。
携帯端末装置はメールを受信すると、ＣＰＵ１８（図３参照）は、自動画像設定受け付けモードがＯＮであるか否かを判断する（ステップＳ５１）。
ＣＰＵ１８は、自動画像設定受け付けモードがＯＮであると判断した場合（ステップＳ５１／ＹＥＳ）、ステップＳ５２に進み、自動画像設定受け付けモードがＯＮでないと判断した場合（ステップＳ５１／ＮＯ）、ステップＳ５６に進む。
ＣＰＵ１８は、ステップＳ５２にて待ち受け画面特定モードがＯＮであるか否かを判断し、待ち受け画面特定モードがＯＮの場合（ステップＳ５２／ＹＥＳ）、ステップＳ５３に進み、待ち受け画面特定モードがＯＮでない場合（ステップＳ５２／ＮＯ）、ステップＳ５６に進む。
【００５３】
ＣＰＵ１８は、ステップＳ５３にて待ち受け画面特定用文字列（この場合、「世界遺産」）が設定されているか否かを判断し、待ち受け画面特定用文字列が設定されている場合（ステップＳ５３／ＹＥＳ）、ステップＳ５４に進み、待ち受け画面特定用文字列が設定されていない場合（ステップＳ５３／ＮＯ）は待ち受け画面特定用文字列を設定した後（ステップＳ５５）、ステップＳ５４に進む。
【００５４】
ＣＰＵ１８は、ステップＳ５４にて受信したメールに待ち受け画面特定用文字列（世界遺産）が有るか否かを判断し、待ち受け画面特定用文字列（世界遺産）が有ると判断した場合（ステップＳ５４／ＹＥＳ）はステップＳ５６に進み、待ち受け画面特定用文字列（世界遺産）が無いと判断した場合（ステップＳ５４／ＮＯ）は終了する。
【００５５】
ＣＰＵ１８は、ステップＳ５６にて受信したメールに登録文字列（この場合「待ち受け画面」）が有るか否かを判断し、登録文字列（待ち受け画面）が有ると判断した場合（ステップＳ５６／ＹＥＳ）、ステップＳ５７に進み、登録文字列（待ち受け画面）が無いと判断した場合（ステップＳ５６／ＮＯ）、終了する。
【００５６】
ＣＰＵ１８は、ステップＳ５７にて受信したメールに画像が添付されているか否かを判断し、画像が添付されていると判断した場合（ステップＳ５７／ＹＥＳ）、ステップＳ５８に進み、画像が添付されていないと判断した場合（ステップＳ５７／ＮＯ）は終了する。
【００５７】
ＣＰＵ１８は、ステップＳ５８にて画像設定が成功したか否かを判断し、画像設定に成功したと判断した場合（ステップＳ５８／ＹＥＳ）ステップＳ５９に進み、画像設定に失敗したと判断した場合（ステップＳ５８／ＮＯ）ステップＳ６１に進む。
ＣＰＵ１８は、ステップＳ５９にて自動返信設定が有るか否かを判断し、自動返信設定が有ると判断した場合（ステップＳ５９／ＹＥＳ）、設定成功メールを送信して終了し（ステップＳ６０）、自動返信設定が無いと判断した場合（ステップＳ５９／ＮＯ）終了する。
【００５８】
ＣＰＵ１８は、ステップＳ６１にて自動返信設定が有るか否かを判断し、自動返信設定が有ると判断した場合（ステップＳ６１／ＹＥＳ）、設定失敗メールを送信して終了し（ステップＳ６２）、自動返信設定が無いと判断した場合（ステップＳ６１／ＮＯ）終了する。
以上において、本制御方法により必要な場合に表示画像の設定を行うことができる。
【産業上の利用可能性】
【００５９】
本発明は、携帯電話やＰＤＡ（Personal Digital Assistants：携帯情報端末）等の携帯端末装置に利用できる。
【図面の簡単な説明】
【００６０】
【図１】本発明に係る携帯端末装置の制御方法の一実施の形態を示すフローである。
【図２】本発明に係る携帯端末装置を用いたシステムの概念図である。
【図３】図２に示した携帯端末装置としての携帯電話のブロック図である。
【図４】図３に示した携帯電話の機能を示すブロック図である。
【図５】図３に示した携帯電話の電子メールを受信した際の画像設定および自動返信有無を登録するフローである。
【図６】図３に示した携帯端末装置に表示される画面についての説明図である。
【図７】本発明に係る携帯端末装置の制御方法の他の実施の形態を示すフローである。
【図８】本発明に係る携帯端末装置の制御方法の他の実施の形態を示すフローである。
【図９】本発明に係る携帯端末装置の制御方法の他の実施の形態を示すフローである。
【符号の説明】
【００６１】
１    事業者ネットワーク
２、３    携帯端末装置
４    パーソナルコンピュータ
１０    無線高周波部
１１    送受信切り替えスイッチ
１２    受信部
１３    送信部
１４    カメラ
１５    ＬＣＤ
１６    画像処理部
１７    ベースバンド部
１８    ＣＰＵ
１９    ＤＳＰ
２０    モデム
２１    ＡＤＣ／ＤＡＣ
２２    スピーカー
２３    マイクロフォン
２４    テンキー
２５    メモリ
２６    フラッシュメモリ
２７    ＳＲＡＭ
【図１】
2008191756.tif 000003
【図２】
2008191756.tif 000004
【図３】
2008191756.tif 000005
【図４】
2008191756.tif 000006
【図５】
2008191756.tif 000007
【図６】
2008191756.tif 000008
【図７】
2008191756.tif 000009
【図８】
2008191756.tif 000010
【図９】
2008191756.tif 000011